(57)【特許請求の範囲】
【請求項１】
被加熱物を載置するトッププレートと、前記被加熱物を誘導加熱する誘導加熱コイルと、前記トッププレート又は前記被加熱物の温度を検知する複数の温度検知手段と、通電を制御する通電制御手段と、時間測定手段と、利用者が土鍋自動炊飯コースを選択するための操作部とを有し、前記操作部により前記土鍋自動炊飯コースが選択されると、複数の前記温度検知手段が検知するすべての検知温度が規定値以上になるまで前炊き工程を継続する誘導加熱調理器。
【請求項２】
土鍋自動炊飯コースの本炊き工程において、複数の温度検知手段と、時間測定手段によって、最も速い温度上昇を検知し、その結果に応じて火力を落とし、水分蒸発によるお焦げ発生を抑える請求項１記載の誘導加熱調理器。
【請求項３】
土鍋自動炊飯コースの本炊き工程において、時間測定手段により測定された時間をもとに、本炊き時間の合計時間を一定にし、過熱を抑える請求項１または２に記載の誘導加熱調理器。
【請求項４】
土鍋自動炊飯コースの蒸らし工程において、複数の温度検知手段のひとつでも大幅な温度低下が検知された場合、補助工程を付与する請求項１〜３のいずれか１項に記載の誘導加熱調理器。
【請求項５】
所定の時間より短い時間で炊き上げ検知が行われた場合、補足工程を付与する請求項１〜４のいずれか１項に記載の誘導加熱調理器。
【請求項６】
操作部において、土鍋自動炊飯コースを選択すると、おこげレベルも選択することを可能とした請求項１〜５のいずれか１項に記載の誘導加熱調理器。
【発明の詳細な説明】
【技術分野】
【０００１】
本発明は、誘導加熱調理器用の土鍋を使用した自動炊飯コースを有した誘導加熱調理器に関するものである。
【背景技術】
【０００２】
誘導加熱調理器用の土鍋も販売されている（例えば、特許文献１参照）が、従来、誘導加熱調理器を使用した土鍋の炊飯は、土鍋の底に貼り付けられた発熱体と土鍋自体の熱伝導の違いから、米に炊きムラができ、可食できるものではなかったので、誘導加熱調理器用の土鍋を使用した調理を禁止しているものもある。
【０００３】
また、従来、炊飯器においては、土鍋炊飯を可能としているものもある（例えば、特許文献２参照）。
【特許文献１】特開２００４−２４１１７７号公報
【特許文献２】特開２００７−０００３９４号公報
【発明の開示】
【発明が解決しようとする課題】
【０００４】
本発明は、土鍋自動炊飯調理において、利用者が土鍋炊飯を行う際に失敗しやすい問題、つまり土鍋底面の焦げに対し、側面の炊き上げ不十分という、調理ムラ等を解消し、誘導加熱調理器の土鍋炊飯でも失敗することなく出来上がる自動炊飯コースを有した誘導加熱調理器を提供することを目的とする。
【課題を解決するための手段】
【０００５】
この課題を解決するために本発明は、誘導加熱調理器の土鍋炊飯調理の制御を複数の工程に分け、温度、負荷量等の情報により加熱出力を細かく制御することによって、最適な出来映えを確保するように構成したものである。
【０００６】
これにより、利用者は誘導加熱調理器の土鍋炊飯調理を自動で簡単に行うことができるようになる。
【発明の効果】
【０００７】
本発明の誘導加熱調理器は、使用者が、簡単に、失敗なく、土鍋炊飯をすることができる。
【発明を実施するための最良の形態】
【０００８】
第１の発明は、被加熱物を載置するトッププレートと、前記被加熱物を誘導加熱する誘導加熱コイルと、前記トッププレート又は前記被加熱物の温度を検知する複数の温度検知手段と、通電を制御する通電制御手段と、時間測定手段と、利用者が土鍋自動炊飯コースを選択するための操作部を有し、前記操作部により土鍋自動炊飯コースが選択されると、複数の温度検知手段が検知するすべての検知温度が規定値以上になるまで前炊き工程を継続し、本炊きにおける側面と底面の炊きムラを解消する。
【０００９】
第２の発明は、特に、第１の発明の土鍋自動炊飯コースの本炊き工程において、複数の温度検知手段と、時間測定手段によって、最も速い温度上昇を検知し、その結果に応じて火力を落とし、水分蒸発によるお焦げ発生を抑えることができる。
【００１０】
第３の発明は、特に、第１または第２の発明の本炊き工程において、時間測定手段により測定された時間をもとに、時間が一定以上になれば、次工程へ以降し、過熱を抑えることができる。
【００１１】
第４の発明は、特に第１〜３のいずれか１つの発明の蒸らし工程において、複数の環境要因により、複数の温度センサーのひとつでも大幅な温度低下が検知された場合、補助工程を付与することにより、寒冷地等の環境要因などでも、一定の蒸らしができる。
【００１２】
第５の発明は、特に第１〜４のいずれか１つの発明において、所定の時間より短い時間で炊き上げ検知が行われた場合、補足工程を付与することにより、一定の炊飯ができる。
【００１３】
第６の発明は、特に、第１〜５のいずれか１つの発明において、おこげレベルが選択可能なことにより、利用者が好みのおこげを作ることができる。
【００１４】
以下本発明の実施の形態について、図面を参照しながら説明する。なお、この実施の形態によって本発明が限定されるものではない。
【００１５】
（実施の形態１）
図１は、本発明の第１の実施の形態における誘導加熱調理器のブロック図を示すものである。図１において、誘導加熱調理器用土鍋（被加熱物）１と、トッププレート２と、誘導加熱コイル３とを有し、温度センサー（温度検知手段）４は被加熱物１あるいはトッププレート２の温度を検知するものであり、温度検知部５は温度センサーの変化を電気信号に変換するものであり、通電制御手段６と、時間測定手段７と、操作部８とを有すものである。
【００１６】
図２は、誘導加熱調理器用土鍋炊飯の炊飯工程における、電力、時間、温度変化を示したもので、調理時間経過の軌跡８は誘導加熱調理器用土鍋誘導加熱コイル上温度を、調理時間経過の９は誘導加熱調理器用土鍋側面温度を示したものである。電力の欄には、実線により通常通電する電力を、破線により、条件によって通電することを選択する電力を示す。以上のように構成された誘導加熱調理器用土鍋炊飯について、以下その動作、作用を説明する。
【００１７】
研いだ米を、米の１割増程度の水とともに、電磁加熱調理器用の土鍋１に入れ、電磁加熱調理器のトッププレート２に３０分ほど置く。吸水終了後、操作部７の自動炊飯土鍋コースを選択すると、第１工程で電力約２００〜３００Ｗが通電し、加熱を開始する。誘導加熱調理器用土鍋１の、もしくは誘導加熱調理器のコイル３上温度（Ｔ１）が約１２０℃と検知したところで、第２工程に移行する制御を有する。これにより、一気に高火力をいれる本炊き工程において、誘導加熱調理器用土鍋のコイル上と側面との温度ムラが抑えられる。
【００１８】
（実施の形態２）
本炊き工程である第２〜４工程の第２工程において、通電制御手段によって、約１０００Ｗ入力する。およそ８分経過した辺りで、誘導加熱調理器用土鍋１の、もしくは誘導加熱のコイル３上温度は約２３０℃まで到達する（Ｔ２）。このとき、予め誘導加熱コイル３上温度との相関により、誘導加熱調理器用土鍋１の側面温度は１００℃近い値になっていると推定され、熱の行き届きにくい誘導加熱調理器用の土鍋１側面にも熱が伝わったため、次工程へ移行する。第３工程において、電力は２５０〜４５０Ｗ、誘導加熱コイル３上の温度は１２０℃付近を保つ。しかし、水分がなくなると、温度上昇が始まり、土鍋底中心温度約１５０℃で土鍋底コイル上に焦げを生じる。誘導加熱調理器用土鍋１の、もしくは誘導加熱調理器の誘導加熱コイル３上の温度を測定し、一定温度（Ｔ３）（例えば、本実施の形態では１４０℃）に到達したら、第４工程へ移行する。
【００１９】
（実施の形態３）
本炊きの最終工程である第４工程において、焦げを避けるため、第３工程より低い電力を入力する。第３工程と第４工程における調理時間（ｔ４）が、一定時間に達したら、通電を止め、第５工程に移行する。例えば、第３工程の調理時間ｔ３が約５分だったとき、第４工程の調理時間は約１５分とし、第３工程と第４工程を合わせて、調理時間約２０分ｔ４となるように制御する。
【００２０】
（実施の形態４）
また、以上誘導加熱調理器土鍋炊飯調理において、積算電力、調理時間が明らかに満たない場合、補助工程として、第５工程（電力ｅ５）に移り、加熱を延長する。
【００２１】
（実施の形態５）
蒸らし工程である第６工程は、土鍋のもつ保温力を利用し、通電を止めるが、複数の温度検知手段によって検知された温度の調理時間経過の変化が一つでも、寒冷地などの環境要因によって一定以上の負の傾きθ６（下降）を示した場合、保温程度の電力ｅ６を入れる工程である。これにより、寒冷地などの環境要因にかかわらず、常に一定の炊飯調理を行うことが可能になる。
【００２２】
（実施の形態６）
図３は、本発明の第６の実施の形態における誘導加熱調理器用土鍋炊飯のおこげコースについて示したものである。以下、図１、図２、図３を参照にその動作を説明する。
【００２３】
図１における操作部７において、利用者がおこげコースを選択したとき、第３工程において、加熱コイル上温度Ｔａ、Ｔｂによる入力切り替えをすることにより、利用者の希望したおこげをつくる。
【００２４】
例えば、利用者が操作部において、弱めのおこげを選択したとき、工程４への切り替え温度は、通常の調理での温度センサー４の温度Ｔ３よりも高い温度Ｔａとなる。それにより、弱めのおこげをつくることが可能となる。また、強めのおこげを選択したときは、その温度センサー４の温度は弱めのお焦げをつくるときの切り替え温度Ｔａよりも高い温度Ｔｂとなる。
【産業上の利用可能性】
【００２５】
以上のように、本発明にかかる誘導加熱調理器は、利用者が、簡単に、失敗なく、誘導加熱調理器による土鍋炊飯が可能となるので、誘導加熱調理器用の土鍋を使用した自動炊飯コースを有した誘導加熱調理器の等の用途にも使用できる。
【図面の簡単な説明】
【００２６】
【図１】本発明の第１の実施の形態における誘導加熱調理器のブロック図
【図２】土鍋自動炊飯調理の加熱パターン図
【図３】土鍋自動炊飯調理のおこげコース加熱パターン図
【符号の説明】
【００２７】
１  誘導加熱調理器用土鍋（被加熱物）
２  トッププレート
３  誘導加熱コイル
４  温度センサー（温度検知手段）
５  通電制御手段
６  時間測定手段
７  操作部
【図１】
0005082877.tif 000002
【図２】
0005082877.tif 000003
【図３】
0005082877.tif 000004